(57)【特許請求の範囲】
【請求項１】
筐体と、
前記筐体内に配置された変換器用基板と、
前記変換器用基板に取り付けられて、直流電流を３相交流電流のうちの第１相分の電流に変換可能に構成された第１相変換部と、
前記変換器用基板に取り付けられて、前記直流電流を前記３相交流電流のうちの第２相分の電流に変換可能に構成された第２相変換部と、
前記変換器用基板に取り付けられて、前記直流電流を前記３相交流電流のうちの第３相分の電流に変換可能に構成された第３相変換部と、
前記第１相変換部、第２相変換部、および第３相変換部それぞれに代替可能に構成された予備相変換部と、
前記第１相変換部、第２相変換部、および第３相変換部それぞれと電気的に接続されて、３相交流電流を出力可能な３相交流部と、
前記第１相変換部、第２相変換部、および第３相変換部それぞれと電気的に接続されて、直流電流を入力可能な直流部と、
前記第１相変換部、第２相変換部、および第３相変換部それぞれと互いに間隔をあけて配置されて、前記予備相変換部と電気的に接続されていて、前記第１相変換部、第２相変換部、および第３相変換部のうち１つが故障したときに、故障した変換部に替えて、前記予備相変換部を前記３相交流部に電気的に接続可能に構成された予備端子導体部と、
を有し、
前記予備相変換部には電気伝導特性を有する予備用ケーブルの一方の端部が機械的および電気的に接続されて、反対側の端部は前記予備端子導体部に機械的および電気的に接続されて、
前記３相交流部は、電気伝導特性を有する第１相用ケーブル、第２相用ケーブル、および第３相用ケーブルそれぞれの３相交流部側端部が、電気的および機械的に接続されて、
前記第１相用ケーブル、第２相用ケーブル、および第３相用ケーブルそれぞれの変換器側端部は、前記第１相変換部、第２相変換部、および第３相変換部それぞれに着脱可能に電気的および機械的に接続されて、
前記第１相変換部、第２相変換部、および第３相変換部のうち１つが故障したときに、故障した変換部に対応する前記第１相用ケーブル、第２相用ケーブル、および第３相用ケーブルのいずれかの前記変換器側端部を、故障した変換部から取り外して前記予備端子導体部に電気的および機械的に接続するように構成されていること、
を特徴とする電力変換装置。
【請求項２】
筐体と、
前記筐体内に配置された変換器用基板と、
前記変換器用基板に取り付けられて、３相交流のうちの第１相分の電流を直流電流に変換可能に構成された第１相変換部と、
前記変換器用基板に取り付けられて、前記３相交流のうちの第２相分の電流を直流電流に変換可能に構成された第２相変換部と、
前記変換器用基板に取り付けられて、前記３相交流のうちの第３相分の電流を直流電流に変換可能に構成された第３相変換部と、
前記第１相変換部、第２相変換部、および第３相変換部それぞれに代替可能に構成された予備相変換部と、
前記第１相変換部、第２相変換部、および第３相変換部それぞれと電気的に接続されて、３相交流電流を入力可能な３相交流部と、
前記第１相変換部、第２相変換部、および第３相変換部それぞれと電気的に接続されて、直流電流を出力可能な直流部と、
前記第１相変換部、第２相変換部、および第３相変換部それぞれと互いに間隔をあけて配置されて、前記予備相変換部と電気的に接続されていて、前記第１相変換部、第２相変換部、および第３相変換部のうち１つが故障したときに、故障した変換部に替えて、前記予備相変換部を前記３相交流部に電気的に接続可能に構成された予備端子導体部と、
を有し、
前記予備相変換部には電気伝導特性を有する予備用ケーブルの一方の端部が機械的および電気的に接続されて、反対側の端部は前記予備端子導体部に機械的および電気的に接続されて、
前記３相交流部は、電気伝導特性を有する第１相用ケーブル、第２相用ケーブル、および第３相用ケーブルそれぞれの３相交流部側端部が、電気的および機械的に接続されて、
前記第１相用ケーブル、第２相用ケーブル、および第３相用ケーブルそれぞれの変換器側端部は、前記第１相変換部、第２相変換部、および第３相変換部それぞれに着脱可能に電気的および機械的に接続されて、
前記第１相変換部、第２相変換部、および第３相変換部のうち１つが故障したときに、故障した変換部に対応する前記第１相用ケーブル、第２相用ケーブル、および第３相用ケーブルのいずれかの前記変換器側端部を、故障した変換部から取り外して前記予備端子導体部に電気的および機械的に接続するように構成されていること、
を特徴とする電力変換装置。
【請求項３】
前記予備端子導体部には、複数の端子部が形成されて、
前記第１相変換部、第２相変換部、および第３相変換部のうち１つが故障したときに、故障した変換部に対応する前記第１相用ケーブル、第２相用ケーブル、および第３相用ケーブルのいずれかが、延長することなく前記端子部に接続するように構成されていること、
を特徴とする請求項１または請求項２に記載の電力変換装置。
【請求項４】
前記予備端子導体は、銅または銅合金であることを特徴とする請求項１ないし請求項３のいずれか一項に記載の電力変換装置。
【発明の詳細な説明】
【技術分野】
【０００１】
本発明は、一部故障時に短時間で復旧可能な電力変換装置に関する。
【背景技術】
【０００２】
電力変換装置は、３相交流電源から直流電源に変換して電動機等を駆動するものに用いられるものがある。また、これとは逆に、直流電源から３相交流電源に変換して系統等に交流電源を供給するものがある。このような電力変換装置は、例えば特許文献１に開示されているようなものが知られている。【０００３】
電力変換装置は、通常、３相交流に対応するＵ相用変換ユニット、Ｖ相用変換ユニットおよびＷ相用変換ユニットを有する。このＵ相用変換ユニットは、直流電流を３相交流電流のうちのＵ相に相当する分の電流に変換する機能と、Ｕ相の電流を直流電流に変換する機能とを備えている。また、Ｖ相用変換ユニットおよびＷ相用変換ユニットそれぞれは、Ｕ相用変換ユニットと同様の機能を備えている。【０００４】
これらの変換ユニットは、制御盤等の内部に配置されている。これらの各変換ユニットそれぞれには、引出し部等が設けられて、制御盤から容易に抜き差しできるように構成されているものがある。このように構成された場合、１つの相に対応する変換ユニットが故障しても、交換用の変換ユニットに容易に交換することができるため、復旧作業は容易である。しかし、引出し部等の周りには、複雑な配線が必要となり、高コストなものが多い。また、配線が複雑になると通電効率も低下する場合もある。【０００５】
これに対して、Ｕ相用変換ユニット、Ｖ相用変換ユニット、およびＷ相用変換ユニットが、例えば筐体内に配置された基板の直接取り付けられるものがある。このような構成では、各変換ユニットをよりコンパクトに配置することができる。さらに、引出し部等がない分だけ、配線等をより単純にすることができ、製作コスト等を低減させることができる。
【先行技術文献】
【特許文献】
【０００６】
【特許文献１】特開２００２−３５４８４０号公報
【発明の概要】
【発明が解決しようとする課題】
【０００７】
ところが、各変換ユニットを基板等に直接取り付けるように構成する場合、１つの変換ユニットが故障すると、交換作業の時間が増大する可能性がある。電力変換装置は、プラント等の機器、例えば電動機等を駆動するために用いるものが多いため、長時間停止することできない場合が多い。このため、故障時の復旧作業は、短い時間で行う必要がある。【０００８】
本発明は上述した課題を解決するためになされたものであり、その目的は、故障した電力変換装置を短時間で復旧させることである。
【課題を解決するための手段】
【０００９】
上記目的を達成するための本発明に係る電力変換装置は、筐体と、前記筐体内に配置された変換器用基板と、前記変換器用基板に取り付けられて、直流電流を３相交流電流のうちの第１相分の電流に変換可能に構成された第１相変換部と、前記変換器用基板に取り付けられて、前記直流電流を前記３相交流電流のうちの第２相分の電流に変換可能に構成された第２相変換部と、前記変換器用基板に取り付けられて、前記直流電流を前記３相交流電流のうちの第３相分の電流に変換可能に構成された第３相変換部と、前記第１相変換部、第２相変換部、および第３相変換部それぞれに代替可能に構成された予備相変換部と、前記第１相変換部、第２相変換部、および第３相変換部それぞれと電気的に接続されて、３相交流電流を出力可能な３相交流部と、前記第１相変換部、第２相変換部、および第３相変換部それぞれと電気的に接続されて、直流電流を入力可能な直流部と、前記第１相変換部、第２相変換部、および第３相変換部それぞれと互いに間隔をあけて配置されて、前記予備相変換部と電気的に接続されていて、前記第１相変換部、第２相変換部、および第３相変換部のうち１つが故障したときに、故障した変換部に替えて、前記予備相変換部を前記３相交流部に電気的に接続可能に構成された予備端子導体部と、を有し、前記予備相変換部には電気伝導特性を有する予備用ケーブルの一方の端部が機械的および電気的に接続されて、反対側の端部は前記予備端子導体部に機械的および電気的に接続されて、前記３相交流部は、電気伝導特性を有する第１相用ケーブル、第２相用ケーブル、および第３相用ケーブルそれぞれの３相交流部側端部が、電気的および機械的に接続されて、前記第１相用ケーブル、第２相用ケーブル、および第３相用ケーブルそれぞれの変換器側端部は、前記第１相変換部、第２相変換部、および第３相変換部それぞれに着脱可能に電気的および機械的に接続されて、前記第１相変換部、第２相変換部、および第３相変換部のうち１つが故障したときに、故障した変換部に対応する前記第１相用ケーブル、第２相用ケーブル、および第３相用ケーブルのいずれかの前記変換器側端部を、故障した変換部から取り外して前記予備端子導体部に電気的および機械的に接続するように構成されていること、を特徴とする。
【００１０】
また、本発明に係る電力変換装置は、筐体と、前記筐体内に配置された変換器用基板と、前記変換器用基板に取り付けられて、３相交流のうちの第１相分の電流を直流電流に変換可能に構成された第１相変換部と、前記変換器用基板に取り付けられて、前記３相交流のうちの第２相分の電流を直流電流に変換可能に構成された第２相変換部と、前記変換器用基板に取り付けられて、前記３相交流のうちの第３相分の電流を直流電流に変換可能に構成された第３相変換部と、前記第１相変換部、第２相変換部、および第３相変換部それぞれに代替可能に構成された予備相変換部と、前記第１相変換部、第２相変換部、および第３相変換部それぞれと電気的に接続されて、３相交流電流を入力可能な３相交流部と、前記第１相変換部、第２相変換部、および第３相変換部それぞれと電気的に接続されて、直流電流を出力可能な直流部と、前記第１相変換部、第２相変換部、および第３相変換部それぞれと互いに間隔をあけて配置されて、前記予備相変換部と電気的に接続されていて、前記第１相変換部、第２相変換部、および第３相変換部のうち１つが故障したときに、故障した変換部に替えて、前記予備相変換部を前記３相交流部に電気的に接続可能に構成された予備端子導体部と、を有し、前記予備相変換部には電気伝導特性を有する予備用ケーブルの一方の端部が機械的および電気的に接続されて、反対側の端部は前記予備端子導体部に機械的および電気的に接続されて、前記３相交流部は、電気伝導特性を有する第１相用ケーブル、第２相用ケーブル、および第３相用ケーブルそれぞれの３相交流部側端部が、電気的および機械的に接続されて、前記第１相用ケーブル、第２相用ケーブル、および第３相用ケーブルそれぞれの変換器側端部は、前記第１相変換部、第２相変換部、および第３相変換部それぞれに着脱可能に電気的および機械的に接続されて、前記第１相変換部、第２相変換部、および第３相変換部のうち１つが故障したときに、故障した変換部に対応する前記第１相用ケーブル、第２相用ケーブル、および第３相用ケーブルのいずれかの前記変換器側端部を、故障した変換部から取り外して前記予備端子導体部に電気的および機械的に接続するように構成されていること、を特徴とする。
【発明の効果】
【００１１】
本発明によれば、故障した電力変換装置を短時間で復旧させることが可能になる。
【図面の簡単な説明】
【００１２】
【図１】本発明の一実施形態に係る電力変換装置の構成を示すブロック図である。
【図２】図１の電力変換装置のＶ相変換ユニットが故障したときに、復旧した状態を示すブロック図である。
【発明を実施するための形態】
【００１３】
以下、本発明に係る電力変換装置の一実施形態について、図１及び図２を用いて説明する。図１は、本実施形態に係る電力変換装置の構成を示すブロック図である。図２は、図１の電力変換装置のＶ相変換ユニット２２が故障したときに、復旧した状態を示すブロック図である。
【００１４】
先ず、本実施形態の電力変換装置の構成について説明する。
【００１５】
本実施形態の電力変換装置は、図１に示すように、筐体１０と、この筐体１０内に配置された変換器用基板１２と、３相交流入出力部６０と、直流入出力部７０と、変換器用基板１２に取り付けられて３相交流に対応する３つの変換ユニット、すなわち、Ｕ相変換ユニット２１、Ｖ相変換ユニット２２、およびＷ相変換ユニット２３と、を有する。
【００１６】
さらに、この電力変換装置は、各相の変換ユニット２１、２２、２３それぞれを制御する制御基板８０と、各相の変換ユニット２１、２２、２３それぞれに代替可能に構成された予備変換ユニット２５と、この予備変換ユニット２５に電気的および機械的に接続された予備端子導体部５０と、を有する。
【００１７】
変換器用基板１２は、例えば長方形状の板で、筐体１０内に直立した状態で固定されている。上記の４つの変換ユニットそれぞれは、上下方向に互いに間隔をあけて、上下方向に沿って、この変換器用基板１２に取り付けられている。
【００１８】
Ｕ相変換ユニット２１は、直流電流を３相交流電流のうちのＵ相に相当する分の電流に変換する機能と、Ｕ相の電流を直流電流に変換する機能とを備えている。Ｖ相変換ユニット２２は、直流電流をＶ相の分の電流に変換する機能と、Ｖ相の電流を直流電流に変換する機能とを備えている。同様に、Ｗ相変換ユニット２３は、直流電流をＷ相の分の電流に変換する機能と、Ｗ相の電流を直流電流に変換する機能とを備えている。
【００１９】
Ｕ相変換ユニット２１、Ｖ相変換ユニット２２、およびＷ相変換ユニット２３それぞれの詳細な構成についての説明は省略するが、横長の長方形状の基板にサイリスタ等の電気部品が取り付けられて構成されたものである。この例では、長手方向が水平になるように、変換器用基板１２に取り付けられている。
【００２０】
また、Ｕ相変換ユニット２１にはＵ相ゲート部３１ｂが設けられており、制御基板８０およびＵ相ゲート部３１ｂは、Ｕ相制御信号用配線８１を介して互いに通信可能に接続されている。同様に、Ｖ相変換ユニット２２およびＷ相変換ユニット２３それぞれにはＶ相ゲート部３２ｂおよびＷ相ゲート部３３ｂが設けられて、Ｖ相ゲート部３２ｂおよびＷ相ゲート部３３ｂそれぞれと、制御基板８０とは、Ｖ相制御信号用配線８２およびＷ相制御信号用配線８３を介して互いに通信可能に接続されている。
【００２１】
また、各相の変換ユニット２１、２２、２３には、後述するＵ相ケーブル４１、Ｖ相ケーブル４２、およびＷ相ケーブル４３それぞれが電気的および機械的に接続可能なＵ相端子３１ａ、Ｖ相端子３２ａおよびＷ相端子３３ａがそれぞれ設けられている。
【００２２】
制御基板８０は、Ｕ相ゲート部３１ｂ、Ｖ相ゲート部３２ｂおよびＷ相ゲート部３３ｂそれぞれを介して、Ｕ相変換ユニット２１、Ｖ相変換ユニット２２およびＷ相変換ユニット２３それぞれに対して入切指令等の制御信号を送信可能に構成されている。
【００２３】
３相交流入出力部６０は、筐体１０内で且つ変換器用基板１２の外側に設けられて、筐体１０の外部と互いに接続可能に構成されている。
【００２４】
Ｕ相変換ユニット２１のＵ相端子３１ａは、Ｕ相ケーブル４１によって、３相交流入出力部６０に電気的および機械的に互いに接続されている。このとき、Ｕ相ケーブル４１の変換ユニット側の端部は、Ｕ相端子３１ａに電気的および機械的に互いに着脱可能に接続されている。Ｕ相ケーブル４１のもう一方の端部、すなわち、３相交流入出力部６０側の端部は、３相交流入出力部６０に電気的に接続されて取り付けられている。
【００２５】
Ｕ相変換ユニット２１と同様に、Ｖ相変換ユニット２２およびＷ相変換ユニット２３は、それぞれＶ相ケーブル４２およびＷ相ケーブル４３によって３相交流入出力部６０と互いに電気的に接続されている。このとき、Ｖ相変換ユニット２２およびＷ相変換ユニット２３それぞれは、Ｖ相ケーブル４２およびＷ相ケーブル４３それぞれと着脱可能に接続されている。
【００２６】
Ｕ相ケーブル４１、Ｖ相ケーブル４２、およびＷ相ケーブル４３それぞれの全長は、電力変換装置を組み立てるときに最適な長さに決められる。
【００２７】
直流入出力部７０は、Ｐ側入出力部７２と、Ｎ側入出力部７３とを含む。Ｐ側およびＮ側入出力部７２、７３はそれぞれ、筐体１０内で且つ変換器用基板１２の外側に設けられて、筐体１０の外部と互いに接続可能に構成されている。図１の例では、Ｐ側およびＮ側それぞれが下方に配置されている。
【００２８】
Ｐ側入出力部７２は、変換器用基板１２に接続されて、この変換器用基板１２上に形成された配線によって、Ｕ相変換ユニット２１、Ｖ相変換ユニット２２、およびＷ相変換ユニット２３それぞれにヒューズ７５等を介して電気的に接続されている。同様に、Ｎ側入出力部７３は、変換器用基板１２に接続されて、この変換器用基板１２上に形成された配線によって、Ｕ相変換ユニット２１、Ｖ相変換ユニット２２、およびＷ相変換ユニット２３それぞれにヒューズ７５等を介して電気的に接続されている。
【００２９】
図１での図示は省略しているが、Ｐ側入出力部７２およびＮ側入出力部７３は、予備変換ユニット２５とも電気的に接続可能に構成されている。Ｕ相変換ユニット２１、Ｖ相変換ユニット２２、およびＷ相変換ユニット２３が正常な状態のときは、ヒューズ７５等を外すことによって、Ｐ側入出力部７２およびＮ側入出力部７３それぞれと、電気的な接続が解除された状態になっている。予備変換ユニット２５をＰ側入出力部７２およびＮ側入出力部７３それぞれと電気的に接続するときは、ヒューズ７５等を取り付けて、通電可能な状態にする。
【００３０】
この電力変換装置を用いて３相交流電源を直流電源に変換する場合には、３相交流入出力部６０に３相交流電源装置（図示せず）が接続されて、３相交流入出力部６０から、Ｕ相変換ユニット２１、Ｖ相変換ユニット２２、およびＷ相変換ユニット２３それぞれに交流電流が送られる。各相の変換ユニット２１、２２、２３それぞれで交流電流が直流電流に変換されて、直流入出力部７０から直流電源として出力される。この直流電源は例えばプラントに配置された電動機（図示せず）等を駆動するために用いている。
【００３１】
一方、この電力変換装置を用いて直流電源を３相交流電源に変換する場合には、直流入出力部７０に直流電源装置（図示せず）に接続される。直流入出力部７０から送られてくる直流電流は、変換器用基板１２上に形成された配線等によって分岐されてＵ相変換ユニット２１、Ｖ相変換ユニット２２、およびＷ相変換ユニット２３それぞれに送られる。各相の変換ユニット２１、２２、２３に送られてきた直流電流は、各相の変換ユニット２１、２２、２３それぞれで交流電流に変換されて、３相交流入出力部６０に送られて３相交流電源として出力される。この３相交流電源は、系統（図示せず）等に供給される。
【００３２】
予備変換ユニット２５は、上記の通り、各相の変換ユニット２１、２２、２３それぞれに代替可能に構成されたものである。すなわち、Ｕ相変換ユニット２１、Ｖ相変換ユニット２２、およびＷ相変換ユニット２３のいずれかが故障した場合には、故障した変換ユニットの代替になることができる。
【００３３】
この予備変換ユニット２５には、Ｕ相変換ユニット２１等と同様に、予備相ゲート部３５ｂが設けられて、この予備相ゲート部３５ｂは制御基板８０と互いに通信可能に構成されている。また、予備変換ユニット２５には、後述する予備変換ユニット用ケーブル４５が電気的および機械的に接続可能な予備相用端子３５ａが設けられている。この予備変換ユニット用ケーブル４５は、予備相用端子３５ａに常時接続されている。
【００３４】
予備端子導体部５０は、変換器用基板１２に取り付けられており、Ｕ相変換ユニット２１、Ｖ相変換ユニット２２、Ｗ相変換ユニット２３、および予備変換ユニット２５それぞれと、互いに間隔をあけて配置されている。
【００３５】
この予備端子導体部５０は、銅合金等の導体により形成されて上下に延びる長板状の部材である。この長板状の導体には、４つの端子、すなわち、Ｕ相予備端子５１、Ｖ相予備端子５２、Ｗ相予備端子５３、および常時接続用端子５５が設けられている。
【００３６】
Ｕ相予備端子５１は、Ｕ相ケーブル４１の変換ユニット側の端部が電気的および機械的に接続可能に構成されている。Ｖ相予備端子５２およびＷ相予備端子５３それぞれは、Ｖ相ケーブル４２およびＷ相ケーブル４３それぞれの変換ユニット側の端部が電気的および機械的に接続可能に構成されている。Ｕ相予備端子５１、Ｖ相予備端子５２、Ｗ相予備端子５３は、各相の変換ユニット２１、２２、２３が正常な状態のときは、Ｕ相予備端子５１等は各ケーブルが接続されていない状態になっている。
【００３７】
一方、予備端子導体部５０の長手方向に沿って、Ｕ相変換ユニット２１、Ｖ相変換ユニット２２、Ｗ相変換ユニット２３、および予備変換ユニット２５が、上下方向に互いに間隔をあけて配置されている。Ｕ相予備端子５１は、Ｕ相変換ユニット２１に設けられたＵ相端子３１ａに接続されているＵ相ケーブル４１の変換ユニット側の端部が届く位置に設けられている。これにより、Ｕ相ケーブル４１をＵ相端子３１ａからＵ相予備端子５１に繋ぎかえるときに、Ｕ相ケーブル４１を延長しなくてよい。同様に、Ｖ相予備端子５２およびＷ相予備端子５３は、それぞれＶ相ケーブル４２およびＷ相ケーブル４３それぞれの変換ユニット側の端部が届く位置に設けられている。
【００３８】
また、常時接続用端子５５は、予備変換ユニット用ケーブル４５によって、予備変換ユニット２５と電気的および機械的に常時接続されている。
【００３９】
続いて、本実施形態の作用について、Ｖ相変換ユニット２２が故障した場合について説明する。
【００４０】
Ｖ相変換ユニット２２が故障したときに、当該故障の情報が管理センタ（図示せず）等に送信される。この情報を受けた管理センタ等は、保守員を故障したユニットが設置された電力変換装置がある現場へ派遣する。
【００４１】
以下に、Ｖ相変換ユニット２２の復旧手順について説明する。
【００４２】
先ず、電流の供給がなされていないことを確認した後に、図２に示すように、Ｖ相変換ユニット２２およびＰ側入出力部７２の間に配置されたヒューズ７５を外す。
【００４３】
次に、Ｖ相ケーブル４２をＶ相端子３２ａから取り外して、予備端子導体部５０に設けられたＶ相予備端子５２に接続する。この後に、Ｐ側入出力部７２およびＮ側入出力部７３それぞれと予備変換ユニット２５とを互いに電気的に接続するために、ヒューズ７５等を取り付ける。
【００４４】
次に、Ｖ相ゲート部３２ｂに通信可能に接続されているＶ相制御信号用配線８２の通信を切断して、予備制御信号用配線８５を用いて制御基板８０と予備変換ユニット２５を通信可能な状態にする。
【００４５】
以上の手順で、Ｖ相変換ユニット２２が故障したときの復旧作業が完了する。Ｖ相変換ユニット２２以外が故障した場合にも、同様の手順で復旧することができる。
【００４６】
以上の説明からわかるように、本実施形態によれば、Ｕ相変換ユニット２１、Ｖ相変換ユニット２２、およびＷ相変換ユニット２３のいずれかが故障した場合において、複雑な配線作業を行うことなく、速やかに復旧することが可能となる。
【００４７】
本実施形態では、３相交流電源を直流電源に変換する場合、および直流電源を３相交流電源に変換する場合、どちらの場合においても適用することが可能である。
【００４８】
本実施形態の説明は、本発明を説明するための例示であって、特許請求の範囲に記載の発明を限定するものではない。又、本発明の各部構成は本実施形態に限らず、特許請求の範囲に記載の技術的範囲内で種々の変形が可能である。
【００４９】
例えば、本実施形態の予備端子導体部５０に設けられた各相それぞれ専用の予備端子５１、５２、５３が設けられているが、これに限らない。Ｖ相ケーブル４２は、Ｕ相予備端子５１に電気的および機械的に接続可能なので、Ｕ相予備端子５１を、Ｕ相およびＶ相で共有してもよい。
【符号の説明】
【００５０】
１０…筐体、１２…変換器用基板、２１…Ｕ相変換ユニット、２２…Ｖ相変換ユニット、２３…Ｗ相変換ユニット、２５…予備変換ユニット、３１ａ…Ｕ相端子、３１ｂ…Ｕ相ゲート部、３２ａ…Ｖ相端子、３２ｂ…Ｖ相ゲート部、３３ａ…Ｗ相端子、３３ｂ…Ｗ相ゲート部、３５ａ…予備相用端子、３５ｂ…予備相ゲート部、４１…Ｕ相ケーブル、４２…Ｖ相ケーブル、４３…Ｗ相ケーブル、４５…予備変換ユニット用ケーブル、５０…予備端子導体部、５１…Ｕ相予備端子、５２…Ｖ相予備端子、５３…Ｗ相予備端子、５５…常時接続用端子、６０…３相交流入出力部、７０…直流入出力部、７２…Ｐ側入出力部、７３…Ｎ側入出力部、７５…ヒューズ、８０…制御基板、８１…Ｕ相制御信号用配線、８２…Ｖ相制御信号用配線、８３…Ｗ相制御信号用配線、８５…予備制御信号用配線
【図１】
0005502091.tif 000002
【図２】
0005502091.tif 000003